(57)【要約】【課題】通常のサッシ窓等にも意匠性を損ねることなく取付可能で、単純な機構により確実な施錠及び解錠の操作を可能とする。【解決手段】クレセント錠３の施錠操作時には、クレセント１０の回動によって係合凸部１２を介して連結機構７が上方向にスライドすると同時に、長孔１４ａの一方側端部が係合ピン１７に係止して操作板１６を移動させ、サブロック片１５を施錠位置に操作し、クレセント錠３の解錠操作時には、クレセント１０の回動によって係合凸部１２を介して連結機構７が下方向にスライドするのに対して、長孔１４ａと係合ピン１７との遊間によって操作板１６を移動させず、クレセント錠３の解錠操作に伴うサブロック６の解錠が行われないようにし、サブロック解錠操作部６Ａにおいて解錠操作片６ｃを移動してサブロック片１５を解錠位置に操作することによりサブロック６の解錠を行うようにする。【選択図】図３
2011132707.tif 000002
【特許請求の範囲】
【請求項１】
回動自在に取り付けられたクレセントを備え室内障子側の召合せ框に固定される施錠側金具と前記クレセントが係合するフック部を備え室外障子側に固定されるクレセント受け金具とからなるクレセント錠と、室内障子側から突出して室外障子側に係合するサブロック片を備えるサブロックと、前記クレセント錠と前記サブロックとを連結する連結機構とからなり、前記クレセントをフック部に係合するクレセント錠の施錠操作に連動して前記サブロック片を前記室外障子側に係合するサブロックの施錠を行う引戸の施錠装置であって、
前記施錠側金具には、前記召合せ框内に向けて突出するとともに、前記クレセントの回動に伴って上下方向に移動する係合凸部が設けられ、
前記連結機構は、前記係合凸部に係合して前記召合せ框内を上下方向にスライド自在に設けられるスライダーと、このスライダーに固定され、前記サブロック側に連結するための上下方向に長い長孔が先端部に形成された連結板とを備え、
前記サブロックは、一方端側が前記連結板の長孔に係合ピンを介して連結され、他方端側が前記サブロック片に係合され、上下方向への移動により前記サブロック片を施錠位置及び解錠位置に操作する操作板と、前記操作板に接続され、解錠操作片の上下方向への移動により前記サブロック片を解錠位置に操作するサブロック解錠操作部とを備え、
前記クレセント錠の施錠操作時には、前記クレセントの回動によって前記係合凸部を介して前記連結機構が上下方向の一方側にスライドすると同時に、前記長孔の一方側端部が前記係合ピンに係止して前記操作板を移動させ、前記サブロック片を施錠位置に操作するサブロックの施錠が連動して行われ、
前記クレセント錠の解錠操作時には、前記クレセントの回動によって前記係合凸部を介して前記連結機構が上下方向の他方側にスライドするのに対して、前記長孔と係合ピンとの遊間によって前記操作板を移動させず、クレセント錠の解錠操作に伴うサブロックの解錠が行われないようにし、前記サブロック解錠操作部において解錠操作片を移動して前記サブロック片を解錠位置に操作することによりサブロックの解錠が行われるようにしたことを特徴とする引戸の施錠装置。
【請求項２】
前記サブロックには、前記サブロック片の施錠位置及び解錠位置に対応する位置においてそれぞれ前記サブロック操作部の施錠状態又は解錠状態の位置合わせを可能とした位置合わせ用手段が設けられている請求項１記載の引戸の施錠装置。
【請求項３】
前記施錠装置は、室内障子及び室外障子が共に正常に閉鎖された状態にある時以外は、前記クレセントが施錠方向に回動できないようにした空掛け防止機構を備え、
前記空掛け防止機構は、室内障子側の召合せ框に固定されるトリガー本体部と、室外障子側の召合せ框に固定されるトリガー受とから構成され、
前記トリガー本体部は、前記召合せ框の室外側面から框内に挿入して固定されるケース部材と、このケース部材に対して固定軸に揺動自在に取り付けられたトリガー部材と、前記トリガー部材を所定の円周方向に付勢する付勢手段とから構成され、
前記トリガー部材は、前記付勢手段の付勢力により室外障子側に突出して前記トリガー受に当接可能に設けられるトリガー片を備えるとともに、前記トリガー片がトリガー受に当接する位置を超えて所定角度以上に揺動したときに、前記スライダーに係止して該スライダーのスライドを阻止する係止片を備え、
前記クレセント錠の施錠操作時に室内障子及び室外障子が共に正常に閉鎖されているならば、前記トリガー片が前記トリガー受に当接して前記ストッパーの回動が所定角度で制止されることにより、前記係止片とスライダーとの係止が回避され、前記クレセント錠による施錠が行われ、
前記クレセント錠の施錠操作時に室内障子及び室外障子が共に正常に閉鎖されていないならば、前記トリガー片が前記トリガー受との当接位置を超えて突出することにより前記ストッパーが所定角度を超えて揺動し、前記係止片がスライダーに係止して、前記スライダーのスライドが阻止され、前記クレセント錠による施錠が行われないようにした請求項１、２いずれかに記載の引戸の施錠装置。
【発明の詳細な説明】
【技術分野】
【０００１】
本発明は、クレセント錠とサブロックとを備え、クレセント錠の施錠操作に伴ってサブロックの施錠を連動させた引戸の施錠装置に関する。
【背景技術】
【０００２】
従来より、家屋のサッシ窓等では防犯性を向上させるため、クレセント錠等の主ロック装置とは別にサブロックと呼ばれる補助錠を付加して二重ロックとしたものが知られている。このサブロックを備えたサッシ窓を施錠操作する場合、クレセント錠の施錠とサブロックの施錠とをそれぞれ別々に行う必要があり、面倒であった。
【０００３】
下記特許文献１では、クレセント錠及び補助錠の両方を一回の操作で施錠できるようにするため、室内側召合せ部の見込み面に施錠操作可能に設けられた第１施錠部と、この第１施錠部と係合可能に室外側召合せ部に設けられた錠受けとを有する第１施錠装置と、室外側召合せ部の室内露出面部に設けられて前記第１施錠部の施錠操作を受けて作動する受動部と、この受動部から離隔した上方及び下方の少なくとも一方における室内露出面部に設けられた第２施錠部と、前記受動部と前記第２施錠部とを接続して第２施錠部に施錠動作を伝達する伝達部とを有する第２施錠手段とから構成され、前記第１施錠手段の第１施錠部を錠受けに係合させる施錠操作によって、前記受動部及び伝達部を介して前記第２施錠手段の係止部材が施錠位置に移動し、第１施錠手段及び第２施錠手段で障子が施錠される建具が開示されている。
【先行技術文献】
【特許文献】
【０００４】
【特許文献１】特開２００８−２２３２８９号公報
【発明の概要】
【発明が解決しようとする課題】
【０００５】
しかしながら、上記特許文献１に記載の建具では、室内外の障子の召合せ部が重なった状態で室外側に位置する室外側召合せ部に、室内空間に露出する室内露出面部が形成され、この室内露出面部に前記第２施錠部が形成されているため、一般に前記室内露出面部が形成されない通常のサッシ窓には採用することができなかった。
【０００６】
また、上記特許文献１記載のクレセント錠と補助錠の連動機構において、補助錠２０の受動部３０では、スライド部材３３がコイルばね３４によって付勢されるとともに、第２施錠部４０では、係止部材４２がねじりコイルばね４３によって付勢され、さらにスライド部材４４が復帰ばね４５によって付勢されるように、付勢手段が多用されている。このため、長年の使用により、付勢手段の付勢力が低下したり、破損したりするおそれがあり、連動機構の故障に伴う施錠不能の事態に陥る可能性があった。
【０００７】
そこで本発明の主たる課題は、通常のサッシ窓等にも意匠性を損ねることなく取付可能で、単純な機構により確実な施錠及び解錠の操作が可能な引戸の施錠装置を提供することにある。
【課題を解決するための手段】
【０００８】
上記課題を解決するために請求項１に係る本発明として、回動自在に取り付けられたクレセントを備え室内障子側の召合せ框に固定される施錠側金具と前記クレセントが係合するフック部を備え室外障子側に固定されるクレセント受け金具とからなるクレセント錠と、室内障子側から突出して室外障子側に係合するサブロック片を備えるサブロックと、前記クレセント錠と前記サブロックとを連結する連結機構とからなり、前記クレセントをフック部に係合するクレセント錠の施錠操作に連動して前記サブロック片を前記室外障子側に係合するサブロックの施錠を行う施錠装置であって、
前記施錠側金具には、前記召合せ框内に向けて突出するとともに、前記クレセントの回動に伴って上下方向に移動する係合凸部が設けられ、
前記連結機構は、前記係合凸部に係合して前記召合せ框内を上下方向にスライド自在に設けられるスライダーと、このスライダーに固定され、前記サブロック側に連結するための上下方向に長い長孔が先端部に形成された連結板とを備え、
前記サブロックは、一方端側が前記連結板の長孔に係合ピンを介して連結され、他方端側が前記サブロック片に係合され、上下方向への移動により前記サブロック片を施錠位置及び解錠位置に操作する操作板と、前記操作板に接続され、解除操作片の上下方向への移動により前記サブロック片を解錠位置に操作するサブロック解錠操作部とを備え、
前記クレセント錠の施錠操作時には、前記クレセントの回動によって前記係合凸部を介して前記連結機構が上下方向の一方側にスライドすると同時に、前記長孔の一方側端部が前記係合ピンに係止して前記操作板を移動させ、前記サブロック片を施錠位置に操作するサブロックの施錠が連動して行われ、
前記クレセント錠の解錠操作時には、前記クレセントの回動によって前記係合凸部を介して前記連結機構が上下方向の他方側にスライドするのに対して、前記長孔と係合ピンとの遊間によって前記操作板を移動させず、クレセント錠の解錠操作に伴うサブロックの解錠が行われないようにし、前記サブロック解錠操作部において解除操作片を移動して前記サブロック片を解錠位置に操作することによりサブロックの解錠が行われるようにしたことを特徴とする引戸の施錠装置が提供される。
【０００９】
上記請求項１記載の発明では、クレセントをフック部に係合するクレセント錠の施錠操作に連動してサブロック片を室外障子側に係合するサブロックの施錠を行う施錠装置において、前記クレセント錠とサブロックとを連結する連結機構を設け、この連結機構には、サブロック側に連結するための上下方向に長い長孔が先端部に形成された連結板を備えるようにしたため、クレセント錠の施錠操作時には、前記連結板に形成された長孔の一方側端部が前記係合ピンに係止して操作板を移動させ、サブロックの施錠が連動して行われるようになり、クレセント錠の解錠操作時には、長孔と係合ピンとの遊間によって操作板を移動させず、サブロックの解錠が行われないようにした。このとき、サブロックの解錠は、サブロック解錠操作部において解錠操作片を移動して前記サブロック片を解錠位置に操作することによって行われるようになっている。かかる施錠装置は、主に室内障子の召合せ縦框に取り付けられるため、通常のサッシ窓等にも意匠性を損ねることなく取り付けることができるとともに、単純な連結構造により、確実な施錠及び解錠の操作が行えるようになる。
【００１０】
請求項２に係る本発明として、前記サブロックには、前記サブロック片の施錠位置及び解錠位置に対応する位置においてそれぞれ前記サブロック操作部の施錠状態又は解錠状態の位置合わせを可能とした位置合わせ用手段が設けられている請求項１記載の引戸の施錠装置が提供される。
【００１１】
上記請求項２記載の発明では、前記サブロックに、前記サブロック片の施錠位置及び解錠位置に対応する位置においてそれぞれ前記サブロック操作部の施錠状態又は解錠状態の位置合わせを可能とした位置合わせ用手段を設けることにより、サブロックの施錠及び解錠の状態を保持できるとともに、解錠操作が容易になる。
【００１２】
請求項３に係る本発明として、前記施錠装置は、室内障子及び室外障子が共に正常に閉鎖された状態にある時以外は、前記クレセントが施錠方向に回動できないようにした空掛け防止機構を備え、
前記空掛け防止機構は、室内障子側の召合せ框に固定されるトリガー本体部と、室外障子側の召合せ框に固定されるトリガー受とから構成され、
前記トリガー本体部は、前記召合せ框の室外側面から框内に挿入して固定されるケース部材と、このケース部材に対して固定軸に揺動自在に取り付けられたトリガー部材と、前記トリガー部材を所定の円周方向に付勢する付勢手段とから構成され、
前記トリガー部材は、前記付勢手段の付勢力により室外障子側に突出して前記トリガー受に当接可能に設けられるトリガー片を備えるとともに、前記トリガー片がトリガー受に当接する位置を超えて所定角度以上に揺動したときに、前記スライダーに係止して該スライダーのスライドを阻止する係止片を備え、
前記クレセント錠の施錠操作時に室内障子及び室外障子が共に正常に閉鎖されているならば、前記トリガー片が前記トリガー受に当接して前記ストッパーの回動が所定角度で制止されることにより、前記係止片とスライダーとの係止が回避され、前記クレセント錠による施錠が行われ、
前記クレセント錠の施錠操作時に室内障子及び室外障子が共に正常に閉鎖されていないならば、前記トリガー片が前記トリガー受との当接位置を超えて突出することにより前記ストッパーが所定角度を超えて揺動し、前記係止片がスライダーに係止して、前記スライダーのスライドが阻止され、前記クレセント錠による施錠が行われないようにした請求項１、２いずれかに記載の引戸の施錠装置が提供される。
【００１３】
上記請求項３記載の発明では、前記施錠装置に、室内障子及び室外障子が共に正常に閉鎖された状態にある時以外は、前記クレセントが施錠方向に回動できないようにした空掛け防止機構を備えたものであり、障子が正常に閉鎖された状態にない場合に、前記連結機構を構成するスライダーと係止するトリガー部材を設けるようにしたものである。
【発明の効果】
【００１４】
以上詳説のとおり本発明によれば、通常のサッシ窓等にも意匠性を損ねることなく取付可能で、単純な機構により確実な施錠及び解錠の操作が可能な引戸の施錠装置が提供できるようになる。
【図面の簡単な説明】
【００１５】
【図１】本発明に係る引戸の施錠装置１を適用したサッシ窓２の室内側正面図である。
【図２】(A)は図１の縦断面図、(B)は(A)のＢ−Ｂ線矢視の拡大図である。
【図３】施錠装置１部分を示す、(A)は左側面図、(B)は室内側正面図、(C)は右側面図である。
【図４】施錠装置１の要部を示す、(A)は分解斜視図、(B)はその反対側の分解斜視図である。
【図５】施錠金具４の(A)は側面図、(B)は背面図である。
【図６】スライダー１３の(A)は側面図、(B)は正面図である。
【図７】サブロック６の分解斜視図である。
【図８】障子の正常な閉鎖状態における動作状態図である。
【図９】障子の異常な閉鎖状態における動作状態図である。
【図１０】トリガー本体部３１を示す、(A)は側面図、(B)は前面図、(C)は平面図である。
【図１１】空掛け防止機構３０の取付状態を示す横断面図である。
【図１２】(A)〜(C)は障子の正常な閉鎖状態における動作順序図である。
【図１３】(A)、(B)は障子の異常な閉鎖状態における動作順序図である。
【発明を実施するための形態】
【００１６】
以下、本発明の実施の形態について図面を参照しながら詳述する。
【００１７】
本発明に係る引戸の施錠装置１は、図１〜図４に示されるように、室内障子２Ａ及び室外障子２Ｂからなる引き違い窓２に対して、回動自在に取り付けられたクレセント１０を備え前記室内障子２Ａの召合せ縦框に固定される施錠側金具４と前記クレセント１０が係合するフック部５ａを備え前記室外障子２Ｂに固定されるクレセント受け金具５とからなるクレセント錠３と、室内障子２Ａの召合せ縦框から突出して室外障子２Ｂの召合せ縦框に係合するサブロック片１５を備えるサブロック６と、前記クレセント錠３と前記サブロック６とを連結する連結機構７とから構成され、前記クレセント１０をフック部５ａに係合するクレセント錠３の施錠操作に連動して、前記サブロック片１５を前記室外障子２Ｂの召合せ縦框に設けられたサブロック受１９に係合するサブロック６の施錠が行われるようにしたものである。
【００１８】
前記施錠側金具４は、図５に示されるように、室内障子２Ａの召合せ縦框にビス等で取り付けられる裏面が開口した函体状のベース部材８と、このベース部材８に対して回動軸９を回転中心として回動自在に取り付けられたクレセント１０と、前記回動軸９と一体的に連設された操作レバー１１と、前記召合せ縦框内に向けて突出するとともに、前記クレセント１０の回動に伴って上下方向に移動する係合凸部１２とが備えられている。
【００１９】
前記連結機構７は、図４に示されるように、前記施錠側金具４の係合凸部１２に係合して召合せ縦框内を上下方向にスライド自在に設けられるスライダー１３と、このスライダー１３の下側先端部に固定され、前記サブロック６側に連結するための上下方向に長い長孔１４ａが下側先端部に形成された連結板１４とが備えられている。この連結機構７は、図１〜図３に示されるように、室内障子２Ａの召合せ縦框内に設けられている。
【００２０】
前記サブロック６は、図３及び図４に示されるように、上端側が前記連結板１４の長孔１４ａに係合ピン１７を介して連結され、下端側が前記サブロック片１５に係合され、上下方向への移動により前記サブロック片１５を施錠位置及び解錠位置に操作する操作板１６と、前記操作板１６に接続され、解錠操作片６ｃの上下方向への移動により前記サブロック片１５を解錠位置に操作するサブロック解錠操作部６Ａとを備えている。
【００２１】
そして、前記クレセント錠３の施錠操作時には、図４の実線矢印でその動作方向を示すように、前記クレセント１０の回動によって前記係合凸部１２を介して前記連結機構７が上方向にスライドすると同時に、前記長孔１４ａの下端部が前記係合ピン１７に係止して前記操作板１６を移動させ、前記サブロック片１５を施錠位置に回動させサブロック６の施錠が連動して行われるようになっている。
【００２２】
一方、クレセント錠３の解錠操作時には、図４の点線矢印でその動作方向を示すように、前記クレセント１０の回動によって前記係合凸部１２を介して前記連結機構７が下方向にスライドするのに対して、前記長孔１４ａと係合ピン１７との遊間によって操作板１６を移動させず、クレセント錠３の解錠操作に伴うサブロック６の解錠が行われないようにし、前記サブロック解錠操作部６Ａにおいて解錠操作片６ｃを移動して前記サブロック片１５を解錠位置に操作することによりサブロック６の解錠が行われるようになっている。
【００２３】
以下、さらに詳細に部材毎に構造を詳述するとともに、作動状態について詳述する。
【００２４】
先ず、前記施錠側金具４のベース部材８は、図５に示されるように、縦方向に長い立方体状の部材で、裏面の開口部が蓋体８ａによって閉鎖されている。このベース部材８の内部空間には、中心部が前記回動軸９に固設され、前記回動軸９と同方向に回動する回動板８ｂが備えられるとともに、この回動板８ｂの周面に固定され、ベース部材８の裏面側に向けて突出するピン８ｃが設けられ、且つこのピン８ｃに対して、前記回動板８ｂの回動に伴うピン８ｃの水平方向移動範囲に相当する長さで水平方向に形成されたガイド溝８ｄで係合するスライド板８ｅが配設されている。そして、このスライド板８ｅには、前記召合せ縦框内に向けて突出する係合凸部１２が突設されるとともに、前記蓋体８ａには、前記係合凸部１２が上下方向に移動する範囲に亘って上下方向に長い開口８ｆが形成されている。これにより、クレセント１０の回動に連動して回動板８ｂが回動し、ピン８ｃが水平方向のガイド溝８ｄを移動しながらスライド板８ｅを上下方向にスライドさせる。その結果、クレセント１０の回動に伴って係合凸部１２が上下方向に移動するようになっている。
【００２５】
また、符合８ｇは上下方向にスライド可能に設けられたロック片であり、ロック時には、クレセント１０の回動範囲内に位置し、クレセント１０が回動できないように阻止するようになっている。
【００２６】
前記スライダー１３は、図４及び図６に示されるように、縦方向に細長い角棒状の部材で、その側面の中間部には、前記係合凸部１２が係合する係合凹部１３ａが設けられている。また、下端部にはスリット溝１３ｂが設けられるとともに、このスリット溝１３ｂを貫くように貫通孔１３ｃが設けられている。そして、前記スリット溝１３ｂに前記連結板１４を挿入した状態で、前記貫通孔１３にスライダー１３及び連結板１４を貫通する固定軸１３ｄを挿入してスライダー１３に連結板１４が固定されるようになっている。
【００２７】
前記サブロック６は、図３(B)及び図７に示されるように、室内障子２Ａの召合せ縦框外面に固定されるサブロック解錠操作部６Ａと、この召合せ縦框内に設けられるサブロック本体部６Ｂとから構成される。
【００２８】
前記サブロック解錠操作部６Ａは、図３、図４及び図７に示されるように、裏面が開口するとともに表面中央部に操作用開口６ｂが設けられたカバー部材６ａと、前記操作用開口部６ｂに臨みサブロックの解錠操作を行うための解錠操作片６ｃと、前記解錠操作片６ｃに一体的に固定され、前記サブロック本体部６Ｂに向けて突出する係合軸６ｄを備えた中間部材６ｅと、前記係合軸６ｅをガイドする上下方向に長い案内溝６ｆを備えるとともに、召合せ縦框への固定用孔６ｇ、６ｇが設けられ、前記カバー部材６ａを取り付けるベース部材６ｈとから構成されている。
【００２９】
前記サブロック本体部６Ｂは、サブロック解錠操作部６Ａ側から挿入される固定ビスが前記ベース部材６ｈの固定用孔６ｇ、６ｇ及び召合せ縦框の側面を貫通して一体的に螺合する固定用ビス孔６ｉ、６ｉが形成されるとともに、少なくとも室外障子２Ｂ側の側面に開口が形成された枠体６ｊと、この枠体６ｊ内に対して偏心位置の固定軸６ｋを回転中心として回動自在に取り付けられ、先端部が前記枠体６ｊの側面開口部から突出可能に設けられたサブロック片１５と、このサブロック片１５の周面に設けられた案内溝１５ａに対して係合ピン１５ｂによって係合され、前記サブロック片１５を施錠位置及び解錠位置に操作する縦長の操作板１６と、前記操作板１６の中間部に固定され、先端部に前記操作部６Ａの係合軸６ｄが挿入可能な開孔６ｌが設けられた折り曲げ加工された操作用連結部材６ｍとから構成されている。
【００３０】
前記サブロック６による施錠は、図４に示されるように、前記連結板１４に形成された長孔１４ａの下端部が前記操作板１６の上端部に固設された前記係合ピン１７に係止して前記操作板１６を上方向に移動させることにより、前記操作板１６の下端部に取り付けられた係合ピン１５ｂが前記サブロック片１５の案内溝１５ａを移動して、サブロック片１５が前記固定軸６ｋを回転中心として先端部が突出するように回動し、施錠位置に移動するとともに、このサブロック片１５の先端部が室外障子２Ｂに設けられたサブロック受１９に係合することにより室内障子２Ａ及び室外障子２Ｂの施錠が行われる。このとき、前記操作用連結部材６ｍが操作板１６の移動に連動して上方向に移動することにより、前記係合軸６ｄを介して解錠操作片６ｃが上方向に移動する。
【００３１】
一方、前記サブロック６による解錠は、同図４に示されるように、前記クレセント錠３の解錠状態において、前記解錠操作片６ｃを下方向に押し戻すことにより、係合軸６ｄを介して操作用連結部材６ｍ及び操作板１６を下方向に移動させ、これによって、操作板１６の下端部に設けられた係合ピン１５ｂがサブロック片１５の案内溝１５ａ内を移動し、サブロック片１５が固定軸６ｋを回転中心として先端部が本体部６Ｂの枠体６ｊ内に収容されることにより、室内障子２Ａと室外障子３Ｂとが解錠されるようになる。
【００３２】
ここで、前記係合軸６ｄが移動する案内溝６ｆには、サブロック片１５の施錠位置及び解錠位置に対応する位置においてそれぞれサブロック操作部６Ａの解錠操作片６ｃを位置合わせ可能とした位置合わせ用係合部６ｎ、６ｎが設けられている。すなわち、前記案内溝６ｆは、位置合わせ用係合部６ｎ、６ｎにおいて、前記係合軸６ｄの直径に対応した円形状に形成され、その中間部ではこれより幅狭の溝で形成されている。
【００３３】
（空掛け防止機構３０について）
次に、室内障子２Ａ及び室外障子２Ｂが共に正常に閉鎖された状態にある時以外、クレセント１０が施錠方向に回動できないようにした空掛け防止機構３０について、以下説明する。前記空掛け防止機構３０は、図８に示されるように、障子が正常に閉鎖された状態にある時にはクレセント１０の回動を可能とし、それ以外の状態の時には、図９に示されるように、クレセント１０の回動を不能とするものである。
【００３４】
前記空掛け防止機構３０は、図３(A)に示されるように、室内障子２Ａの召合せ縦框に固定され、前記スライダー１３と係合可能に設けられるトリガー本体部３１と、室外障子２Ｂの召合せ縦框の室内側面に固定されるトリガー受３２とから構成されている。
【００３５】
前記トリガー本体部３１は、図１０に示されるように、室内障子２Ａの召合せ縦框にビス等で取り付けられる裏面が開口した函体状のケース部材３３と、このケース部材３３に対して両側面間に跨設された固定軸３４に揺動自在に取り付けられたトリガー部材３５と、前記トリガー部材３５を所定の円周方向に付勢するスプリングなどの付勢手段３６とから構成されている。かかるトリガー本体部３１は、図３(A)に示されるように、室内障子２Ａの召合せ縦框の室外側面に設けられた開口部から縦框内に挿入した状態で固定されるようになっている。
【００３６】
前記トリガー受３２は、図１に示されるように、平板状の部材からなり、上下端部において室外障子２Ｂ側の召合せ縦框に固定されている。
【００３７】
さらに詳細に説明すると、前記ケース部材３３には、図１０に示されるように、裏面が開口した函体状の本体部の上下にそれぞれ延在してフランジ部３３ａ、３３ａが形成され、このフランジ部３３ａ、３３ａにそれぞれトリガー本体部３１を縦框に固定するためのビスを挿入する固定用孔が設けられている。また、ケース部材３３の本体部は、両側壁が裏面側に延在する延在壁３３ｂ、３３ｂとされるとともに、前面には前記トリガー部材３５の先端部が突出可能な開口３３ｃが形成されている。
【００３８】
前記トリガー部材３５は、中心部に前記固定軸３４を挿入する挿通孔３５ａが形成された略円形状の小片部材であり、円周面の一部を切り欠いた切欠き部３５ｂには前記付勢手段３６を係止するための突起部３５ｃが設けられ、円周方向に付勢力が付与されることにより回動可能に取り付けられている。このトリガー部材３５には、その円周面から外側に突出して設けられるとともに、前記付勢手段３６の付勢力に伴う該トリガー部材３５の回動により、室外障子２Ｂ側に突出して前記トリガー受３２に当接可能に設けられるトリガー片３５ｄが備えられるとともに、前記トリガー片３５ｄがトリガー受３２に当接する位置を超えて所定角度以上に回動したときに、前記スライダー１３に係止して該スライダー１３のスライドを阻止する円周面上に突出した係止片３５ｅが備えられている。また、前記トリガー部材３５の外周には、クレセント錠３の解錠状態において前記スライダー１３と係合して前記付勢力に抗して前記トリガー片３５ｄを室内障子２Ａの召合せ縦框内に収容した状態を保持するための保持用係止溝３５ｆが形成されている。
【００３９】
前記トリガー本体部３１は、図３(A)及び図１１に示されるように、施錠装置１の取付状態において、前記トリガー部材３５が前記連結機構７のスライダー１３と係合可能に設けられている。具体的には、前記スライダー１３の上部には、図４及び図６に示されるように、前記トリガー本体３１のケース本体３３を挿入した状態でスライダー１３がスライドする範囲に空間部１３ｅが形成されるようにするとともに、この空間部１３ｅ内の室内側面の中央部に上下方向に沿って突出し、前記ケース本体３３の裏面側延出壁３３ｂ、３３ｂ間に係合してスライダー１３のスライドを案内するスライドガイド１３ｆが形成されるようにする。また、前記スライドガイド１３ｆの一方側側縁には、所定位置に段差部１３ｇを有するスライダー１３の上下方向に沿った側壁１３ｈを形成するとともに、他方側側縁の上端部には突起片１３ｉを形成しておく。
【００４０】
このようなスライダー１３に対して前記トリガー本体３１は、図１１及び図１２(A)に示されるように、前記ケース本体３３の裏面側突出壁３３ｂ、３３ｂ間に前記スライドガイド１３ｆを係合させることによって取り付けられ、さらに前記スライダー１３に空間部１３ｅが形成されることによって、前述の係合状態を維持したままスライダー１３の上下方向へのスライドが可能となっている。
【００４１】
上記空掛け防止機構３０を備えた施錠装置１の動作順序について図１２及び図１３に基づいて詳述する。図１２(A)、(C)及び図１３の下段に示した斜視図は、各状態におけるスライダー１３とトリガー部材３５との位置関係を示したものである。
【００４２】
図１２(A)に示されるように、前記スライダー１３が下端に位置する状態（クレセント錠３の解錠状態）では、前記スライダー１３の突起片１３ｉが前記トリガー部材３５の外周に形成された保持用係止溝３５ｆに係合することにより、前記付勢手段３６の付勢力に抗して前記トリガー片３５ｄが室内障子２Ａの召合せ縦框内に収容された状態が保持されている。
【００４３】
そして、クレセント錠３の施錠に伴うクレセント１０の回動が開始すると、図１２(B)に示されるように、スライダー１３が上方向にスライドし、前記トリガー部材３５の保持用係止溝３５ｆとスライダー１３の突起片１３ｉとの係合が解除されて、付勢手段３６の付勢力によって固定軸３４を回転中心とするトリガー部材３５の回動が開始する。このトリガー部材３５の回動に伴い、前記トリガー片３５ｄの先端がケース本体３３の前面に形成された開口３３ｃから室外障子２Ｂ側に突出するようになる。
【００４４】
前記クレセント錠３の施錠操作時に室内障子２Ａ及び室外障子２Ｂが正常に閉鎖されているならば、室外障子２Ｂ側に突出した前記トリガー片３５ｄがトリガー受３２に当接してトリガー部材３５の回動が所定角度で制止されることにより、前記係止片３５ｅとスライダー１３のスライドガイド１３ｆに設けられた前記段差部１３ｇとの係合が回避され、スライダー１３が継続してスライド可能となり、クレセント錠３による施錠が行われるようになる（図１２(C)）。
【００４５】
一方、前記クレセント錠３の施錠操作時に室内障子２Ａ及び室外障子２Ｂが正常に閉鎖されていないならば、図１３(A)に示されるように、前記トリガー片３５ｄがトリガー受３２との当接位置を超えて突出することにより、前記トリガー部材３５が所定角度を超えて回動し、前記係止片３５ｅがスライダー１３のスライドガイド１３ｆに設けられた前記段差部１３ｇに係止して（同図１３(B)）、スライダー１３のスライドが阻止され、クレセント錠３による施錠が行われないようになっている。
【００４６】
〔他の形態例〕
(1)上記形態例では、サブロック６はクレセント錠３の下方側に取り付けられるようにしたが、クレセント錠３の上方側に取り付けるようにしてもよい。
【符号の説明】
【００４７】
１…施錠装置、２…サッシ窓、３…クレセント錠、４…施錠側金具、５…クレセント受け金具、６…サブロック、７…連結機構、８…ベース部材、９…回動軸、１０…クレセント、１１…操作レバー、１２…係合凸部、１３…スライダー、１４…連結板、１４ａ‥長孔、１５…サブロック片、１６…操作板、１７…係合ピン、１９…サブロック受、３０…空掛け防止機構、３１…トリガー本体部、３２…トリガー受、３３…ケース部材、３４…固定軸、３５…トリガー部材、３６…付勢手段
【図１】
2011132707.tif 000003
【図２】
2011132707.tif 000004
【図３】
2011132707.tif 000005
【図４】
2011132707.tif 000006
【図５】
2011132707.tif 000007
【図６】
2011132707.tif 000008
【図７】
2011132707.tif 000009
【図８】
2011132707.tif 000010
【図９】
2011132707.tif 000011
【図１０】
2011132707.tif 000012
【図１１】
2011132707.tif 000013
【図１２】
2011132707.tif 000014
【図１３】
2011132707.tif 000015